(57)【要約】【課題】通常電話とＩＰ電話との間での通話に際して、音声帯域の高域側での過補正に起因する通話品質の悪化を防止することができる通信端末装置を提供する。【解決手段】ファクシミリ装置（通信端末装置）１１は、通信回線に接続する回線接続手段と、音声周波数帯域の周波数特性を変化させるイコライザー手段とを備え、相手先装置がＩＰ電話である場合には、自装置が送出する音声信号に対する前記イコライザー手段の周波数特性の補正度を、相手先装置がＩＰ電話以外の通信端末装置である場合の補正度よりも小さく設定することを特徴とする。【選択図】      図１
2004242110.tif 000002
【特許請求の範囲】
【請求項１】
通信回線に接続する回線接続手段と、音声周波数帯域の周波数特性を変化させるイコライザー手段とを備え、
相手先装置がＩＰ電話である場合には、自装置が送出する音声信号に対する前記イコライザー手段の周波数特性の補正度を、相手先装置がＩＰ電話以外の通信端末装置である場合の補正度よりも小さく設定する、
ことを特徴とする通信端末装置。
【請求項２】
通信回線に接続する回線接続手段と音声周波数帯域の周波数特性を変化させるイコライザー手段とを備え、
相手先装置がＩＰ電話である場合には、自装置が受信する音声信号に対する前記イコライザー手段の周波数特性の補正度を、相手先装置がＩＰ電話以外の通信端末装置である場合の補正度よりも小さく設定する、
ことを特徴とする通信端末装置。
【請求項３】
通信回線に接続する回線接続手段と発信者番号を検出する発信者番号検出手段と音声周波数帯域の周波数特性を変化させるイコライザー手段とを備え、
前記発信者番号検出手段により検出した相手先の電話番号がＩＰ電話の電話番号である場合には、自装置が送出する音声信号に対して前記イコライザー手段の周波数特性の補正度を、相手先の電話番号がＩＰ電話の電話番号以外の電話番号である場合の補正度よりも小さく設定する、
ことを特徴とする通信端末装置。
【請求項４】
通信回線に接続する回線接続手段と発信者番号を検出する発信者番号検出手段と音声周波数帯域の周波数特性を変化させるイコライザー手段とを備え、
前記発信者番号検出手段により検出した相手先の電話番号がＩＰ電話の電話番号である場合には、自装置が受信する音声信号に対して前記イコライザー手段の周波数特性の補正度を、相手先の電話番号がＩＰ電話の電話番号以外の電話番号である場合の補正度よりも小さく設定する、
ことを特徴とする通信端末装置。
【請求項５】
通信回線に接続する回線接続手段と発信者番号を検出する発信者番号検出手段と音声周波数帯域の周波数特性を変化させるイコライザー手段とを備え、
前記発信者番号検出手段により検出した相手先の電話番号とあらかじめ記憶してあるＩＰ電話の電話番号とを比較することによりＩＰ電話の電話番号と判断した場合には、自装置が送出する音声信号に対する前記イコライザー手段の周波数特性の補正度を、ＩＰ電話以外の電話番号と判断した場合の補正度よりも小さく設定する、
ことを特徴とする通信端末装置。
【請求項６】
通信回線に接続する回線接続手段と発信者番号を検出する発信者番号検出手段と音声周波数帯域の周波数特性を変化させるイコライザー手段とを備え、
前記発信者番号検出手段により検出した相手先の電話番号とあらかじめ記憶してあるＩＰ電話の電話番号とを比較することによりＩＰ電話の電話番号と判断した場合には、自装置が受信する音声信号に対する前記イコライザー手段の周波数特性の補正度を、ＩＰ電話以外の電話番号と判断した場合の補正度よりも小さく設定する、
ことを特徴とする通信端末装置。
【請求項７】
通信回線に接続する回線接続手段と音声周波数帯域の周波数特性を変化させるイコライザー手段とを備え、
前記通信回線に自装置が送出する相手先の電話番号がＩＰ電話の電話番号と判断した場合には自装置が送出する音声信号に対する前記イコライザー手段の周波数特性の補正度を、ＩＰ電話以外の電話番号と判断した場合の補正度よりも小さく設定する、
ことを特徴とする通信端末装置。
【請求項８】
通信回線に接続する回線接続手段と音声周波数帯域の周波数特性を変化させるイコライザー手段とを備え、
前記通信回線に自装置が送出する相手先の電話番号がＩＰ電話の電話番号と判断した場合には自装置が受信する音声信号に対する前記イコライザー手段の周波数特性の補正度を、ＩＰ電話以外の電話番号と判断した場合の補正度よりも小さく設定する、
ことを特徴とする通信端末装置。
【請求項９】
通信回線に接続する回線接続手段と音声周波数帯域の周波数特性を変化させるイコライザー手段とを備え、
相手先装置あるいは通信回線網から受信したプロトコルにより、相手先装置がＩＰ電話であると判断した場合には自装置が送出する音声信号に対する前記イコライザー手段の周波数特性の補正度を、相手先装置がＩＰ電話以外であると判断した場合の補正度よりも小さく設定する、
ことを特徴とする通信端末装置。
【請求項１０】
通信回線に接続する回線接続手段と音声周波数帯域の周波数特性を変化させるイコライザー手段とを備え、
相手先装置あるいは通信回線網から受信したプロトコルにより、相手先装置がＩＰ電話であると判断した場合には自装置が受信する音声信号に対する前記イコライザー手段の周波数特性の補正度を、相手先装置がＩＰ電話以外であると判断した場合の補正度よりも小さく設定すること、
を特徴とする通信端末装置。
【請求項１１】
さらに表示手段を備え、相手装置がＩＰ電話であればその旨を表示するか、または相手装置がＩＰ電話でなければその旨を表示する請求項１〜１０の通信端末装置。
【請求項１２】
ＩＰ電話通信機能を備えない請求項１〜１１の通信端末装置。
【請求項１３】
ＩＰ電話通信機能を備えた請求項１〜１１の通信端末装置。
【発明の詳細な説明】
【０００１】
【発明の属する技術分野】
本発明は、通常電話とＩＰ電話との間での通話に際して、音声帯域の高域側での過補正に起因する通話品質の悪化を防止することができる通信端末装置に関する。
【０００２】
【従来の技術】
従来、一般加入回線を使用する通常の電話同士の通話は、音声帯域（３００Ｈｚ〜４ＫＨｚ）を使用するいわゆるアナログ通信で行われる。ここで電話機から交換機までの間はメタリックケーブルが使用されることが多く、その周波数特性は距離が長くなるにつれて高域（２ＫＨｚ以上）の損失が大きくなる特性を持っている。そのため、そのままでは音質が劣化し通話品質が悪くなるので、その損失を補償するために電話機器内部に高域側の利得を持ち上げるようなイコライザーを備えている。
【０００３】
一方、最近では伝送媒体として一般電話網やＡＤＳＬ（ａｓｙｍｍｅｔｒｉｃｄｉｇｉｔａｌｓｕｂｓｃｒｉｂｅｒ  ｌｉｎｅ）等のｘＤＳＬ（ｘ  Ｄｉｇｉｔａｌ  Ｓｕｂｓｃｒｉｂｅｒ  Ｌｉｎｅ）を使用したＩＰ電話（電話をかける相手との間の通信経路を、  ＨＹＰＥＲＬＩＮＫ  ”ｈｔｔｐ：／／ｅ−ｗｏｒｄｓ．ｊｐ／ｗ／ＩＰ．ｈｔｍｌ”  ＩＰプロトコルベースで構築した電話ネットワークを利用した電話）が普及してきた。
【０００４】
ＩＰ電話はＶｏＩＰ（Ｖｏｉｃｅ  ｏｖｅｒ  ＩＰ）技術を利用してデジタルで通話を実現するもので、メタリックケーブルの音声帯域を使用する一般の電話に比べて、ケーブルによる周波数特性に起因する損失はほとんど無いに等しい。そのため、通常の電話とＩＰ電話間で通話を行う場合において、通常の電話側でイコライザーを使用すると、ＩＰ電話側では音声帯域の高域側で過補正になってしまい、通話品質がかえって悪化してしまうという新たな問題が発生することが予想される。
【０００５】
本発明は、通常の電話とＩＰ電話との間での通話に際して、上記した音声帯域の高域側での過補正に起因する通話品質の悪化を防止することができる通信端末装置を提供することを目的とする。
【０００６】
【課題を解決するための手段】
本発明の第１態様の通信端末装置は、通信回線に接続する回線接続手段と、音声周波数帯域の周波数特性を変化させるイコライザー手段とを備え、相手先装置がＩＰ電話である場合には、自装置が送出する音声信号に対する前記イコライザー手段の周波数特性の補正度を、相手先装置がＩＰ電話以外の通信端末装置である場合の補正度よりも小さく設定することを特徴とする。
【０００７】
第１態様では、通信相手がＩＰ電話の場合には送出する音声信号に対するイコライザーの補正度を小さくしているので、相手側に対して高域側を過補正してしまうのを防ぐことができる。
【０００８】
本発明の第２態様の通信端末装置は、通信回線に接続する回線接続手段と音声周波数帯域の周波数特性を変化させるイコライザー手段とを備え、相手先装置がＩＰ電話である場合には、自装置が受信する音声信号に対する前記イコライザー手段の周波数特性の補正度を、相手先装置がＩＰ電話以外の通信端末装置である場合の補正度よりも小さく設定することを特徴とする。
【０００９】
第２態様では、通信相手がＩＰ電話の場合には受信する音声信号に対するイコライザーの補正度を小さくしているので、自装置に対して高域側が過補正されることがなくなる。
【００１０】
本発明の第３態様の通信端末装置は、通信回線に接続する回線接続手段と発信者番号を検出する発信者番号検出手段と音声周波数帯域の周波数特性を変化させるイコライザー手段とを備え、前記発信者番号検出手段により検出した相手先の電話番号がＩＰ電話の電話番号である場合には、自装置が送出する音声信号に対して前記イコライザー手段の周波数特性の補正度を、相手先の電話番号がＩＰ電話の電話番号以外の電話番号である場合の補正度よりも小さく設定することを特徴とする。
【００１１】
本発明の第４態様の通信端末装置は、通信回線に接続する回線接続手段と発信者番号を検出する発信者番号検出手段と音声周波数帯域の周波数特性を変化させるイコライザー手段とを備え、前記発信者番号検出手段により検出した相手先の電話番号がＩＰ電話の電話番号である場合には、自装置が受信する音声信号に対して前記イコライザー手段の周波数特性の補正度を、相手先の電話番号がＩＰ電話の電話番号以外の電話番号である場合の補正度よりも小さく設定することを特徴とする。
【００１２】
本発明の第５態様の通信端末装置は、通信回線に接続する回線接続手段と発信者番号を検出する発信者番号検出手段と音声周波数帯域の周波数特性を変化させるイコライザー手段とを備え、前記発信者番号検出手段により検出した相手先の電話番号とあらかじめ記憶してあるＩＰ電話の電話番号とを比較することによりＩＰ電話の電話番号と判断した場合には、自装置が送出する音声信号に対する前記イコライザー手段の周波数特性の補正度を、ＩＰ電話以外の電話番号と判断した場合の補正度よりも小さく設定することを特徴とする。
【００１３】
本発明の第６態様の通信端末装置は、通信回線に接続する回線接続手段と発信者番号を検出する発信者番号検出手段と音声周波数帯域の周波数特性を変化させるイコライザー手段とを備え、前記発信者番号検出手段により検出した相手先の電話番号とあらかじめ記憶してあるＩＰ電話の電話番号とを比較することによりＩＰ電話の電話番号と判断した場合には、自装置が受信する音声信号に対する前記イコライザー手段の周波数特性の補正度を、ＩＰ電話以外の電話番号と判断した場合の補正度よりも小さく設定することを特徴とする。
【００１４】
本発明の第７態様の通信端末装置は、通信回線に接続する回線接続手段と音声周波数帯域の周波数特性を変化させるイコライザー手段とを備え、前記通信回線に自装置が送出する相手先の電話番号がＩＰ電話の電話番号と判断した場合には自装置が送出する音声信号に対する前記イコライザー手段の周波数特性の補正度を、ＩＰ電話以外の電話番号と判断した場合の補正度よりも小さく設定することを特徴とする。
【００１５】
本発明の第８態様の通信端末装置は、通信回線に接続する回線接続手段と音声周波数帯域の周波数特性を変化させるイコライザー手段とを備え、前記通信回線に自装置が送出する相手先の電話番号がＩＰ電話の電話番号と判断した場合には自装置が受信する音声信号に対する前記イコライザー手段の周波数特性の補正度を、ＩＰ電話以外の電話番号と判断した場合の補正度よりも小さく設定することを特徴とする。
【００１６】
本発明の第９態様の通信端末装置は、通信回線に接続する回線接続手段と音声周波数帯域の周波数特性を変化させるイコライザー手段とを備え、相手先装置あるいは通信回線網から受信したプロトコルにより、相手先装置がＩＰ電話であると判断した場合には自装置が送出する音声信号に対する前記イコライザー手段の周波数特性の補正度を、相手先装置がＩＰ電話以外であると判断した場合の補正度よりも小さく設定することを特徴とする。
【００１７】
本発明の第１０態様の通信端末装置は、通信回線に接続する回線接続手段と音声周波数帯域の周波数特性を変化させるイコライザー手段とを備え、相手先装置あるいは通信回線網から受信したプロトコルにより、相手先装置がＩＰ電話であると判断した場合には自装置が受信する音声信号に対する前記イコライザー手段の周波数特性の補正度を、相手先装置がＩＰ電話以外であると判断した場合の補正度よりも小さく設定することを特徴とする。
【００１８】
本発明の通信端末装置は、さらに表示手段を備え、相手装置がＩＰ電話であればその旨を表示するか、または相手装置がＩＰ電話でなければその旨を表示するように構成できる。また、本発明の通信端末装置では、ＩＰ電話通信機能を備えなくてもよいし、備えてもよい。
【００１９】
【発明の実施の形態】
図１は本発明の通信端末装置の具体的な一実施形態であるファクシミリ装置のブロック図である。これ以降、ファクシミリ装置のほか、電話機、ＩＰ電話機についても説明するが、本発明は通信端末装置の発明であるため、当然にファクシミリ装置、電話機、ＩＰ電話機に限定されるものではない。
【００２０】
図１において、ファクシミリ装置１１は、ＣＰＵ（中央処理装置）１１１、ＲＯＭ（リード・オンリー・メモリ）１１２、ＲＡＭ（ランダム・アクセス・メモリ）１１３、操作入力・表示部１１４、スキャナ１１５、プロッタ１１６、画像メモリ１１７、符号化・復号化部１１８、モデム１１９、イコライザー１２０および網制御装置１２１からなる。
【００２１】
ＣＰＵ１１１（中央処理装置）は、装置全体を制御するものであり、その実行プログラムはＲＯＭ１１２に記憶されている。ＣＰＵ１１１は、その実行プログラムをＲＯＭ１１２から読み出し、その実行プログラムに含まれる命令を逐次解釈して装置全体の制御を行うものである。ＲＡＭ１１３は、ＣＰＵによる上記制御に必要なワークエリアが形成されるともに、保存パラメータやそのほか制御に必要な種々のパラメータ、管理情報等を記憶する。
【００２２】
操作入力・表示部１１４は各種の操作キーと操作ガイダンス等を表示する表示器からなり、オペレータが装置を操作するためのものである。スキャナ１１５は、原稿の画像を所定の解像度で読み取ることにより装置が扱えるデータに変換する。プロッタ１１６は画像データを所定の解像度で紙などの記録媒体に記録し出力するものである。
【００２３】
画像メモリ１１７は送信する画情報、受信した画情報、コピー出力する画情報などを圧縮データあるいは生データの形で記憶するものである。符号化・復号化部１１８は、生の画像データを符号圧縮する一方、符号圧縮された画像データを元の生の画像データに復号伸張するものである。
【００２４】
モデム１１９は、公衆電話回線網を通信回線５００として使用できるように、送信時にはデジタルデータをアナログデータに、受信時にはアナログデータをデジタルデータに変換するものである。イコライザー１２０は、通信回線の周波数特性によって減衰した信号を元の信号に補正するものであり、送信側に入るものと受信側に入るものがある。網制御装置１２１は、装置を通信回線５００（公衆電話回線網）に直接接続するためのもので、一次二次間の絶縁、回線閉結のための直流電流ループの形成、発呼するためのダイヤル送出や着信時の呼び出し信号の検出等を行うものである。
【００２５】
図２は、本発明の通信端末装置の具体的な一実施形態である電話機のブロック図である。図２において、電話機２１は、ＣＰＵ２１１、ＲＯＭ２１２、ＲＡＭ２１３、操作入力・表示部２１４、ハンドセット２１５、通話回路２１６、イコライザー２１７および網制御装置２１８からなる。
【００２６】
ＣＰＵ２１１、ＲＯＭ２１２、ＲＡＭ２１３、操作入力・表示部２１４およびイコライザー２１７は、図１で説明したＣＰＵ１１１、ＲＯＭ１１２、ＲＡＭ１１３、操作入力・表示部１１４およびイコライザー１２０と同じである。
【００２７】
ハンドセット２１５は、音声通話をするいわゆる受話器であり、音声を出力するスピーカや音声を入力するマイク等から構成される。
【００２８】
図３は、本発明の通信端末装置の具体的な一実施形態であるＩＰ電話機のブロック図である。図３において、ＩＰ電話機３１は、ＣＰＵ３１１、ＲＯＭ３１２、ＲＡＭ３１３、操作入力・表示部３１４、ハンドセット３１５、通話回路３１６、イコライザー３１７およびＶｏＩＰ部３１８からなる。
【００２９】
ＣＰＵ３１１、ＲＯＭ３１２、ＲＡＭ３１３、操作入力・表示部３１４、ハンドセット３１５、通話回路３１６、イコライザー３１７は、図２のＣＰＵ２１１、ＲＯＭ２１２、ＲＡＭ２１３、操作入力・表示部２１４、ハンドセット２１５、通話回路３１６およびイコライザー２１７と同じである。ＶｏＩＰ部３１８は、図２の網制御装置２１８に対応する。
【００３０】
ＶｏＩＰ部３１８は、ＡＤＳＬモデム（  Ａｓｙｍｍｅｔｒｉｃ  Ｄｉｇｉｔａｌ  Ｓｕｂｓｃｒｉｂｅｒ  Ｌｉｎｅ  Ｍｏｄｅｍ）を備えている。ＡＤＳＬモデムは、  ＨＹＰＥＲＬＩＮＫ  ”ｈｔｔｐ：／／ｙｏｕｇｏ．ａｓｃｉｉ２４．ｃｏｍ／ｇｈ／７６／００７６７６．ｈｔｍｌ”  ＡＤＳＬ通信を行なうためのデータ変調／復調装置であり、通常のアナログモデムと同様に、デジタルデータを変調してアナログ信号に変換したり、その逆を行なうことができる。
【００３１】
ＡＤＳＬモデムは、通話回路３１６から送られてきたアナログの音声信号をデジタル信号（音声信号データ）に変換し、さらに必要であれば符号化圧縮する。次に、音声信号データを送信用のＩＰパケットに埋め込み、順次ＡＤＳＬモデムに送り出す。
【００３２】
また、ＶｏＩＰ部３１８は、ＡＤＳＬモデムから入力される受信用のＩＰパケットから音声信号データを取り出し、必要であれば復号伸長し、さらにデジタル音声信号データをアナログ音声信号に変換し、通話回路３１６に送出する。本発明の実施形態ではＶｏＩＰ部３１８にＡＤＳＬモデムが含まれているが、通信回線５００がＬＡＮであればＡＤＳＬモデムは必要ない。
【００３３】
図４は、本発明の第３態様および第４態様の通信端末装置の実施形態を示す説明図である。ずなわち、図４は、通信端末装置が、着信に際して、発信者番号を検出する発信者番号検出手段を備え、発信者番号検出手段により検出した相手先の電話番号と、あらかじめ電話帳に記憶してある電話番号とを比較し、当該相手先の電話がＩＰ電話であるか否かの判断機能を備えた通信端末装置のフローチャートを示している。
【００３４】
通信回線網から着信を知らせる着呼があると、通信を開始する準備の手順に進む（Ｓ１０１）。相手装置から相手装置の電話番号（発信者番号）を通知してきた場合（例えば、ＮＴＴ（日本電信電話株式会社）のナンバーディスプレイ機能を利用して電話番号を表示してきた場合）、発信者番号検出手段（ＲＯＭにプログラムとして格納されている）によって発信者番号を検出する（Ｓ１０２）。
【００３５】
次に、あらかじめメモリ等に記憶してある電話帳を検索し（Ｓ１０３）、相手先の電話がＩＰ電話であるか否かを判断する（Ｓ１０４）。電話帳に登録する電話番号に、当該電話番号がＩＰ電話の電話番号であるかのフラグを付記しておく等によりこの判断が行われる。発信者番号がＩＰ電話の電話番号である場合は（Ｓ１０４の「ＹＥＳ」）、自装置が送受信する音声信号に対するイコライザーの周波数特性の補正度を、ＩＰ電話以外の電話番号と判断した場合の補正度よりも小さく設定する（Ｓ１０５）。
【００３６】
一方、発信者番号がＩＰ電話の電話番号でなければ（または、電話帳になければ）（Ｓ１０４の「ＮＯ」）、自装置が送受信する音声信号に対するイコライザーの周波数特性の補正度を、ＩＰ電話の電話番号と判断した場合の補正度よりも大きく設定する（Ｓ１０６）。
【００３７】
ここでイコライザーをオフする場合や、イコライザーの特性をほぼフラットに設定する場合やイコライザーをバイパスする場合もイコライザーの補正度をゼロにすることに等しいのでイコライザーの補正度を小さくすることに含まれるのは当然である。また、発信者番号を判断する代わりに、例えばＮＴＴのネームディスプレイ機能を利用して、知らせてきた名称を判断して、通話相手の電話機がＩＰ電話がどうかを判断してもよい。
【００３８】
図５は、本発明の第５態様および第６態様の通信端末装置の実施形態を示す説明図である。ずなわち、図５は、通信端末装置が、着信に際して、発信者番号を検出する発信者番号検出手段を備え、発信者番号検出手段により検出した相手先の電話番号の一部と、あらかじめ記憶してあるＩＰ電話の電話番号であることを示す番号列とを比較する機能を備えた通信端末装置のフローチャートを示している。
【００３９】
通信回線網から着信を知らせる着呼があると、通信を開始する準備の手順に進む（Ｓ２０１）。相手装置から相手装置の電話番号（発信者番号）を通知してきた場合、発信者番号検出手段によって発信者番号を検出する（Ｓ２０２）。
【００４０】
次に、あらかじめメモリ等に記憶してあるＩＰ電話であることを示す電話番号（例えば、０５０−ＸＸＸＸ−ＸＸＸＸの先頭の３桁の電話番号である０５０）と検出した発信者番号を比較する（Ｓ２０３）。発信者番号の先頭の３桁が０５０であれば、相手装置をＩＰ電話と判断し（Ｓ２０４の「ＹＥＳ」）、自装置が送出する音声信号に対するイコライザーの周波数特性の補正度を、ＩＰ電話以外の電話番号と判断した場合の補正度よりも小さく設定する。これとともに、自装置が受信する音声信号に対するイコライザーの周波数特性の補正度も、ＩＰ電話以外の電話番号と判断した場合の補正度よりも小さく設定する（Ｓ２０５）。
【００４１】
一方、発信者番号の先頭の３桁が０５０でなければ（Ｓ２０４の「ＮＯ」）、ＩＰ電話の電話番号と判断した場合の補正度よりも大きく設定する（Ｓ２０６）。第５態様、第６態様でも、イコライザーをオフする場合や、イコライザーの特性をほぼフラットに設定する場合やイコライザーをバイパスする場合もイコライザーの補正度をゼロにすることに等しいのでイコライザーの補正度を小さくすることに含まれるのは当然である。また、発信者番号を判断する代わりに、例えばＮＴＴのネームディスプレイ機能を利用して、知らせてきた名称を判断してＩＰ電話がどうかを判断してもよい。
【００４２】
図６および図７は、本発明の第７態様および第８態様の実施形態を示す説明図である。図６は、通信端末装置が、発信に際して、相手先の電話番号と、あらかじめ電話帳に記憶してある電話番号とを比較し、当該相手先の電話がＩＰ電話であるか否かの判断機能を備えた通信端末装置のフローチャートを示している。
【００４３】
図６に示すように、まず、相手装置に接続するために相手電話番号を入力し、発呼（電話番号の送出）の指示を行う（Ｓ３０１）。
【００４４】
次に、あらかじめメモリ等に記憶してある電話帳を検索し、相手先の電話がＩＰ電話であるか否かを判断する。電話帳に登録する電話番号には、当該電話番号がＩＰ電話の電話番号であるかのフラグを付記しておく等によりこの判断が行われる（Ｓ３０２）。相手電話番号がＩＰ電話の電話番号であるときは（Ｓ３０３の「ＹＥＳ」）、自装置が送出する音声信号に対するイコライザーの周波数特性の補正度を、ＩＰ電話以外の電話番号と判断した場合の補正度よりも小さく設定する（Ｓ３０４）。これとともに、自装置が受信する音声信号に対するイコライザーの周波数特性の補正度も、ＩＰ電話以外の電話番号と判断した場合の補正度よりも小さく設定する（Ｓ３０５）。
【００４５】
一方、相手電話番号がＩＰ電話の電話番号でなければ（または、電話帳面にないとき）（Ｓ３０３の「ＮＯ」）、ＩＰ電話の電話番号と判断した場合の補正度よりも大きく設定する。その後相手電話番号を送出する。なお、イコライザーの設定は、通話が始まる前に設定されていればよい。すなわち、イコライザーの設定は、電話番号の送出の前である必要はなく、電話番号の送出中あるいは送出後であってもよい。
【００４６】
図７は、通信端末装置が、発信に際して、相手先の電話番号の一部と、あらかじめ記憶してあるＩＰ電話の電話番号であることを示す番号列とを比較する機能を備えた通信端末装置のフローチャートを示している。
【００４７】
図７に示すように、相手装置に接続するために相手電話番号を入力し、発呼（電話番号の送出）の指示を行う（Ｓ４０１）。
【００４８】
次に、あらかじめメモリ等に記憶してあるＩＰ電話であることを示す電話番号（例えば、０５０−ＸＸＸＸ−ＸＸＸＸの先頭の３桁の電話番号である０５０）と検出した発信者番号を比較する（Ｓ４０２）。発信者番号の先頭の３桁が０５０であれば、相手装置をＩＰ電話と判断し（Ｓ４０３の「ＹＥＳ」）、自装置が送出する音声信号に対するイコライザーの周波数特性の補正度を、ＩＰ電話以外の電話番号と判断した場合の補正度よりも小さく設定する。
【００４９】
これとともに、自装置が受信する音声信号に対するイコライザーの周波数特性の補正度も、ＩＰ電話以外の電話番号と判断した場合の補正度よりも小さく設定する（Ｓ４０４）。
【００５０】
一方、相手電話番号の先頭の３桁が０５０でなければ（Ｓ４０４の「ＮＯ」）、ＩＰ電話の電話番号と判断した場合の補正度よりも大きく設定する。その後相手電話番号を送出する。なお、イコライザーの設定は、通話が始まる前に設定されていればよい。すなわち、イコライザーの設定は、電話番号の送出の前である必要はなく、電話番号の送出中あるいは送出後であってもよい。
【００５１】
図８は、本発明の第９態様の通信端末装置の実施形態を示す説明図である。すなわち、図８は、通信端末装置が、着信に際して、プロトコルから、当該相手先の電話がＩＰ電話であるか否かの判断機能を備えた通信端末装置のフローチャートを示している。
【００５２】
通信回線網から着信を知らせる着呼があると（Ｓ５０１）、通信を開始する準備の手順に進む（Ｓ５０２）。相手装置あるいは通信回線網からの応答信号（通信プロトコル信号のうちで相手装置が送出してくる信号）を検出し（Ｓ５０３）、その信号がＩＰ電話で使用している信号方式であれば、手装置をＩＰ電話と判断し（Ｓ５０４の「ＹＥＳ」）、自装置が送出する音声信号に対するイコライザーの周波数特性の補正度を、ＩＰ電話以外の電話番号と判断した場合の補正度よりも小さく設定する（Ｓ５０５）。一方、その信号がＩＰ電話で使用している信号方式でなければ相手装置をＩＰ電話以外の装置と判断し（Ｓ５０４の「ＮＯ」）、ＩＰ電話場合の補正度よりも大きく設定する（Ｓ５０６）。
【００５３】
図９は、本発明の第１０態様の通信端末装置の実施形態を示す説明図である。すなわち、図９は、通信端末装置が、発信に際して、プロトコルから、当該相手先の電話がＩＰ電話であるか否かの判断機能を備えた通信端末装置のフローチャートを示している。
【００５４】
まず、相手先の電話番号の入力がされ（Ｓ６０１）、ダイヤルの送出を行う（Ｓ６０２）。次に、相手装置あるいは通信回線網からの応答信号（通信プロトコル信号のうちで相手装置が送出してくる信号）を検出し（Ｓ６０３）、その信号がＩＰ電話で使用している信号方式であれば、手装置をＩＰ電話と判断し（Ｓ６０４の「ＹＥＳ」）、自装置が送出する音声信号に対するイコライザーの周波数特性の補正度を、ＩＰ電話以外の電話番号と判断した場合の補正度よりも小さく設定する（Ｓ６０５）。一方、その信号がＩＰ電話で使用している信号方式でなければ相手装置をＩＰ電話以外の装置と判断し（Ｓ６０４の「ＮＯ」）、ＩＰ電話場合の補正度よりも大きく設定する（Ｓ６０６）。
【００５５】
現在、ＩＰ電話のプロトコル方式としてはＭＧＣＰ（Ｍｅｄｉａ  Ｇａｔｅｗａｙ  Ｃｏｎｔｒｏｌ  Ｐｒｏｔｏｃｏｌ），ＳＩＰ（Ｓｅｓｓｉｏｎ  Ｉｎｉｔｉａｔｉｏｎ  Ｐｒｏｔｏｃｏｌ）、Ｍｅｇａｃｏ等があるが１つには統一されていない。ＭＧＣＰはＲＦＣ２７０５，ＳＩＰはＲＦＣ３２６１、ＭｅｇａｃｏはＲＦＣ３０１５の標準に記載されている。また前記プロトコルの他にＩＴＵ−ＴのＨ．３２３やＨＴＴＰプロトコル等も使用出来る。さらに前記ＩＰ電話の信号方式以外の信号を受信した場合や、また信号方式による識別のほかに、前記信号方式の信号の中に直接搭載されている情報、例えば相手装置の電話番号、相手装置の種別、相手装置が何であるか類推できる情報等から相手装置がＩＰ電話であるかどうかを判断してもよい。
【００５６】
ここでイコライザーの周波数特性の一例を図１０に示す。横軸が周波数を表し、図１０では音声帯域で使用する０．２〜４ＫＨｚを示している。縦軸は利得を表しており、０ｄｂは利得がないということを示している。＋の方向にいくほど利得が大きくなる。
【００５７】
図１０では２ＫＨｚまで利得はほぼゼロに近く、フラットの特性を持たせている。これは一般の電話の加入回線網は低域から２ＫＨｚまでは損失が少ないという特性に合わせている。２ＫＨｚを超えた高域では周波数が高くなるほど損失が大きくなるため、周波数が高くなるほど利得を大きくしている。このように一般的には回線網の損失をイコライザーで補うことを補正といい、その強さの度合いを補正度と定義している。その補正度の表し方はいろいろあるが、図１０では１ＫＨｚと３ＫＨｚの利得の差（またはその２点を結ぶ直線の傾き）を補正度と定義している一例を示している。前例ではその基準とする周波数は２点であるが、その周波数は任意であり、さらに基準とする周波数の数を増やしてもより。その他、利得曲線の傾きの度合い（傾きが大きければ補正が大きい）や、曲線とＸ，Ｙ軸とが作る面積によって補正度を定義してもよい。
【００５８】
図１１に図１０に比べて補正度を小さく設定したイコライザーの周波数特性を一例を示す。イコライザー手段は他の手段から独立して備えられてもよいし、また例えばモデム（ファックスのモデム、ＶｏＩＰモデム）や通話回路やその他の回路の中に内蔵されていてもよい。
【００５９】
図１の操作入力・表示部１１４、図２の操作入力・表示部２１４、図３の操作入力・表示部３１４には、相手装置がＩＰ電話であれば、例えば「通信相手はＩＰ電話です」といったメッセージあるいは「ＩＰ」のシンボルを表示することができ、また相手装置がＩＰ電話でなければ、例えば「通信相手はＩＰ電話ではありません」といったメッセージあるいは「ＩＰ」に「×」が重複表示されたシンボルを表示することができる。
【００６０】
【発明の効果】
本発明によれば、通信相手がＩＰ電話の場合には送出する音声信号に対するイコライザーの補正度を小さくしているので、相手側に対して高域側を過補正してしまうのを防ぐことができる。また、通信相手がＩＰ電話の場合には受信する音声信号に対するイコライザーの補正度を小さくしているので、自装置に対して高域側が過補正されることがなくなる。
【００６１】
これにより、通常電話とＩＰ電話との間での通話に際して、上記した音声帯域の高域側での過補正に起因する通話品質の悪化を防止することができる。
【図面の簡単な説明】
【図１】本発明の通信端末装置の具体的な一実施形態であるファクシミリ装置のブロック図である。
【図２】本発明の通信端末装置の具体的な一実施形態である電話機のブロック図である。
【図３】本発明の通信端末装置の具体的な一実施形態であるＩＰ電話機のブロック図である。
【図４】本発明の第３態様および第４態様の通信端末装置の動作を示すフローチャートである。
【図５】本発明の第５態様および第６態様の通信端末装置の動作を示すフローチャートである。
【図６】本発明の第６態様および第７態様の通信端末装置の動作を示すフローチャートである。
【図７】本発明の第６態様および第７態様の通信端末装置の動作を示すフローチャートである。
【図８】本発明の第９態様の通信端末装置の通信端末装置の動作を示すフローチャートである。
【図９】本発明の第１０態様の通信端末装置通信端末装置の動作を示すフローチャートである。
【図１０】イコライザーの周波数特性の一例を示すグラフである。
【図１１】補正度を小さく設定したイコライザーの周波数特性の一例を示すグラフである。
【符号の説明】
１１  ファクシミリ装置
２１  電話機
３１  ＩＰ電話機
１１１，２１１，３１１  ＣＰＵ
１１２，２１２，３１２  ＲＯＭ
１１３，２１３，３１３  ＲＡＭ
１１４，２１４，３１４  操作入力・表示部
１１５  スキャナ
１１６  プロッタ
１１７  画像メモリ
１１８  符号化・復号化部
１１９  モデム
１２０，２１７，３１７  イコライザー
１２１，２１８  網制御装置
２１５，３１５  ハンドセット
２１６，３１６    通話回路
３１８  ＶｏＩＰモデム
５００  通信回線
【図１】
2004242110.tif 000003
【図２】
2004242110.tif 000004
【図３】
2004242110.tif 000005
【図４】
2004242110.tif 000006
【図５】
2004242110.tif 000007
【図６】
2004242110.tif 000008
【図７】
2004242110.tif 000009
【図８】
2004242110.tif 000010
【図９】
2004242110.tif 000011
【図１０】
2004242110.tif 000012
【図１１】
2004242110.tif 000013